(57)【要約】  Ｄ席用画像とＰ席用画像とを表示画面に時分割表示すると共に、Ｄ席用画像とＰ席用画像と連動して表示画面上に設けられた液晶シャッターを制御して表示画面の視野角を変更する際に、黒画ＢＬ等を挿入して無表示状態を形成する。これによれば、液晶シャッターの切換タイミングにバラツキが存在しても、一の視野に他方の画像が写り込むのを防ぐことができる。
2007097353.tif 000002
【特許請求の範囲】
【請求項１】
表示画面上に設けられて前記表示画面の一部を遮蔽すると共に遮蔽領域を可変できるシャッターと、
複数の表示内容を前記表示画面に時分割表示すると共に、前記複数の表示内容の切り換えに連動して前記シャッターを制御し画像の表示態様を変更する表示制御手段と、を有し、
前記表示制御手段は、前記画像の表示態様を切り換える際に緩衝画を挿入する、ことを特徴とする表示装置。
【請求項２】
表示画面上に設けられて前記表示画面の視野角を変更可能な視野角変更シャッターと、
複数の表示内容を前記表示画面に時分割表示すると共に、前記複数の表示内容の切り換えに連動して前記視野角変更シャッターを制御し前記視野角の異なった表示を行う表示制御手段と、を有し、
前記表示制御手段は、前記画像の表示態様を切り換える際に緩衝画を挿入する、ことを特徴とする表示装置。
【請求項３】
前記表示制御手段は、第１画像における第１特定画素群と、第２画像における該第１特定画素群と排他的位置にある第２排他画素群との第１合成画像を生成し、前記第２画像における前記第１特定画素群と同じ位置にある第２特定画素群と、前記第１画像における該第２特定画素群と排他的位置にある第１排他画素群との第２合成画像を生成し、前記第１及び第２合成画像を前記表示画面に時分割表示する、ことを特徴とする請求項１又は２に記載の表示装置。
【請求項４】
表示画面上に表示される表示画像と前記表示画面の一部領域の遮蔽状態とを連動して制御することにより画像の表示態様を切り換える表示方法において、
表示態様を切り換える際に緩衝画を表示する、ことを特徴とする表示方法。
【請求項５】
複数の表示内容を表示画面に時分割表示すると共に、前記複数の表示内容の切り換えに連動して表示画面上に設けられた視野角変更シャッターを制御して視野角の異なった画像表示を行う表示方法であって、
前記複数の表示内容を切り換える際に緩衝画を表示する、ことを特徴とする表示方法。
【請求項６】
第１画像における第１特定画素群と、第２画像における該第１特定画素群と排他的位置にある第２排他画素群との第１合成画像を生成する工程と、
前記第２画像における前記第１特定画素群と同じ位置にある第２特定画素群と、前記第１画像における該第２特定画素群と排他的位置にある第１排他画素群との第２合成画像を生成する工程と、
前記第１及び第２合成画像を前記表示画面に時分割表示する行程を有する、請求項４又は５に記載の表示方法。
【発明の詳細な説明】
【技術分野】
【０００１】
本発明は、例えば、複数の方向にそれぞれ異なる表示が可能な表示装置及び表示方法に関する。
【背景技術】
【０００２】
近年の車載用の表示装置は、ナビゲーション情報に加えてテレビ受信機、オーディオ装置、DVD再生装置等からの各種情報を表示できるようになっている。
また、車載用の表示装置では、運転者席用と助手席用のそれぞれに個別の表示出力を行い、例えば、運転者へナビゲーション情報を表示し、助手席の搭乗者へテレビ、DVDなどの画像を表示できるものが知られている（例えば、特許文献１参照）。
【特許文献１】特開２００４−２０６０８９号公報
【発明の開示】
【発明が解決しようとする課題】
【０００３】
ところで、特許文献１等に開示されているマルチビューディスプレイでは、ディスプレイ上の表示素子を運転席側と助手席側とに振り分けて各画像を表示するため、視野ごとの表示における解像度は、通常の半分になるという問題があった。
また、特許文献１等に開示されているマルチビューディスプレイでは、一方の表示内容の視野に他方の表示内容が写り込むという問題もある。
上記の問題は、車載用の表示装置に限らず、他の用途の表示装置においても同様に存在する。この問題を解決する方法として、シャッターを液晶シャッター等で構成してアクティブシャッター（可変シャッター）として表示画像と可変シャッターとを連動制御する方法がある。尚、この表示画像と可変シャッターとを連動制御する方法は、マルチビューディスプレイだけでなく、色々な可変表示に利用できる。
しかし、表示画面と液晶シャッターの連動制御では、表示画面と液晶シャッターの切換時付近で制御誤差によりどうしても本来遮蔽されるべき他方向側への画像が漏れて映ってしまうという問題がある。【０００４】
本発明は、上記の事情に鑑みて成されたものであり、その目的とするところは、表示画像と可変シャッターの状態（画面の表示態様）の切換時に発生する（両者のタイミングずれを起因とする）本来遮蔽されるべき画像が漏れてしまうという問題を解決できる表示装置及び表示方法を提供することにある。
【課題を解決するための手段】
【０００５】
上記目的は、表示画面上に設けられて前記表示画面の一部を遮蔽すると共に遮蔽領域を可変できるシャッターと、複数の表示内容を前記表示画面に時分割表示すると共に、前記複数の表示内容の切り換えに連動して前記シャッターを制御し画像の表示態様を変更する表示制御手段と、を有し、前記表示制御手段は、前記画像の表示態様を切り換える際に緩衝画を挿入する、ことを特徴とする表示装置によって達成できる。
この構成によれば、複数の表示内容を時分割表示するので、各表示内容の解像度の低下を防止でき、また、緩衝画を挿入することにより、切換の際に表示画面に緩衝画が表示されて無表示状態となるため、表示画面とシャッターの切換のタイミングにバラツキがある場合に、画像が漏れるのを確実に防止できる。【０００６】
また、上記目的は、表示画面上に設けられて前記表示画面の視野角を変更可能な視野角変更シャッターと、複数の表示内容を前記表示画面に時分割表示すると共に、前記複数の表示内容の切り換えに連動して前記視野角変更シャッターを制御し前記視野角の異なった表示を行う表示制御手段と、を有し、前記表示制御手段は、前記画像の表示態様を切り換える際に緩衝画を挿入する、ことを特徴とする表示装置によっても達成できる。【０００７】
また、上記構成において、前記表示制御手段は、第１画像における第１特定画素群と、第２画像における該第１特定画素群と排他的位置にある第２排他画素群との第１合成画像を生成し、前記第２画像における前記第１特定画素群と同じ位置にある第２特定画素群と、前記第１画像における該第２特定画素群と排他的位置にある第１排他画素群との第２合成画像を生成し、前記第１及び第２合成画像を前記表示画面に時分割表示する、構成を採用できる。
この構成により、第１及び第２合成画像を前記表示画面に時分割表示することにより、残像効果により解像度の低下を抑制でき、前記画像の表示態様を切り換える際に緩衝画を挿入することによって、一方の画像が他方の画像へと漏れることを防止できる。【０００８】
また、上記目的は、表示画面上に表示される表示画像と前記表示画面の一部領域の遮蔽状態とを連動して制御することにより画像の表示態様を切り換える表示方法において、表示態様を切り換える際に緩衝画を表示することを特徴とする、表示方法によっても達成できる。【０００９】
また、上記目的は、複数の表示内容を表示画面に時分割表示すると共に、前記複数の表示内容の切り換えに連動して表示画面上に設けられた視野角変更シャッターを制御して視野角の異なった画像表示を行う表示方法であって、前記複数の表示内容を切り換える際に緩衝画を表示する、ことを特徴としている表示方法によっても達成できる。【００１０】
また、上記表示方法において、第１画像における第１特定画素群と、第２画像における該第１特定画素群と排他的位置にある第２排他画素群との第１合成画像を生成する工程と、前記第２画像における前記第１特定画素群と同じ位置にある第２特定画素群と、前記第１画像における該第２特定画素群と排他的位置にある第１排他画素群との第２合成画像を生成する工程と、前記第１及び第２合成画像を前記表示画面に時分割表示する行程を有する、構成を採用できる。
【発明の効果】
【００１１】
本発明によれば、表示画像と可変シャッターの状態（画面の表示態様）の切換時に発生する（両者のタイミングずれを起因とする）本来遮蔽されるべき画像が漏れてしまうという問題を解決できる。
【図面の簡単な説明】
【００１２】
【図１】図１は、本発明の一実施形態に係る表示装置の基本構成を説明するための図である。
【図２】図２は、表示装置の車両への適用例を示す斜視図である。
【図３】図３は、表示装置の構成を示す機能ブロック図である。
【図４】図４は、画像出力部の構成を示す機能ブロック図である。
【図５】図５は、表示部の水平方向の断面図である。
【図６】図６（Ａ）、（Ｂ）は、表示画像と液晶シャッターの関係を示す図である。
【図７】図７は、表示画像の切換に連動する液晶シャッターの駆動方法を説明するための図である。
【図８】図８は、液晶パネルの表示画面に表示される画像の入力タイミングと出力タイミングとの関係を示す図である。
【図９】図９（Ａ）、（Ｂ）、（Ｃ）、（Ｄ）は、液晶シャッターと各表示状態との関係を説明するための図である。
【図１０】図１０は、画像出力部の他の構成を示す図である。
【図１１】図１１（Ａ）、（Ｂ）、（Ｃ）、（Ｄ）は、同一画面上にＤ席画像ＩＭ１とＰ席画像ＩＭ２とを含む出力パターンを作成する場合の表示方法を説明するための説明図である。
【図１２】図１２（Ａ）、（Ｂ）は、液晶シャッターの遮光パターンを説明するための図である。
【発明を実施するための最良の形態】
【００１３】
以下、本発明の最良の実施形態について、添付図面を参照しつつ説明する。
図１は本発明の一実施形態に係る表示装置の基本構成を説明するための図である。
この表示装置は、図１に示すように、表示制御手段としての表示制御部１０、表示画面を構成する表示部１００等から構成されている。
表示制御部１０は、第１の画像ソース３００Ａから画像データ（画像信号）ＤＴ１が供給されると共に第２の画像ソース３００Ｂから画像データ（画像信号）ＤＴ２が供給されて、これら第１及び第２の画像データＤＴ１，ＤＴ２からなる画像データ（画像信号）ＡＤＴを共通の表示部１００へ出力する。尚、表示制御部１０の具体的な構成については後述する。
また、第１及び第２の画像ソース３００Ａ，３００Ｂは、後述するカメラ、ＴＶ受信部、ＤＶＤ再生部、ＨＤ再生部、ナビゲーション部等で構成される。【００１４】
表示部１００は、後述するように、液晶パネル、バックライト、液晶シャッター等から構成されており、画像データを表示画面に時分割表示すると共に、複数の画像データ切り換えに連動して液晶シャッターを制御して視野角を変更することで、第１の画像データＤＴ１に基づく第１の画像ＩＭ１を右方向から観る観察者ＯＢＲが視認できると共に第２の画像データＤＴ２に基づく第２の画像ＩＭ２を左方向から観る観察者ＯＢＬが視認できるように表示する。尚、表示制御部１０による具体的な表示制御処理の内容については後述する。【００１５】
図２は本発明の一実施形態に係る表示装置の外観及び車両への搭載例を示す斜視図である。
図２に示すように、表示装置は、車両のダッシュボード部分に内蔵されると共に、表示部１００は、運転席ＤＳと助手席ＡＳとの間に配置される。また、表示部１００には、表示装置を手動で操作するための操作部１５０が設けられている。
運転席ＤＳに着席した乗員が上記の観察者ＯＢＲとなり、助手席ＡＳに着席した乗員が上記の観察者ＯＢＬとなる。そして、これらの搭乗者は、それぞれ運転席ＤＳ側又は助手席ＡＳ側から表示部１００に表示された第１の画像ＩＭ１（以下、Ｄ席用画像ともいう。）及び第２の画像ＩＭ２（以下、Ｐ席用画像ともいう。）を実質的に同時に観ることができる。【００１６】
図３ないし図５は本発明の一実施形態に係る表示装置の具体的な構成を示す図であって、図３は表示装置の全体構成の機能ブロック図、図４は画像出力部の構成を示す機能ブロック図、図５は液晶パネルの水平方向の断面図、及び図６（Ａ）、（Ｂ）は液晶シャッターの機能を説明するための図である。【００１７】
この表示装置は、図３に示すように、表示部１００加えて、制御部２０、分配回路３０、第１及び第２の画質調整回路５０Ａ，５０Ｂ、画像出力部７０等から構成されている。尚、上記した表示制御部１０は、制御部２０、分配回路３０、第１及び第２の画質調整回路５０Ａ，５０Ｂ、画像出力部７０等から構成される。
制御部２０は、プロセッサ（ＣＰＵ）、インターフェース、ＲＯＭ、ＲＡＭ等のハードウエアと、所要のソフトウエアから構成され、表示装置を総合的に制御する。尚、制御部２０による具体的な制御については後述する。
制御部２０は、図３に示すように、車両に搭載されて画像や音声を供給する供給源としての、車両の周囲等を撮像するカメラ３１０、音楽や画像を再生するＣＤ／ＭＤ（コンパクトディスク／ミニディスク）再生部３２０、アンテナからラジオ放送波を受信するラジオ受信部３３０、アンテナからセレクタを介してＴＶ放送波を受信するＴＶ受信部３４０、ＤＶＤ（ディジタルバーサタイルディスク）から音楽情報や画像を再生するＤＶＤ再生部３５０、ＨＤ（ハードディスク）に記録された画像や音楽情報を再生するＨＤ再生部３６０、ＶＩＣＳ情報受信部３７１が受信した道路情報やＧＰＳ情報受信部３７２が受信した地理情報に基づいて地図やルート案内画像を出力するナビゲーション部３７０等と接続されて、これらとの間でデータを授受すると共にこれらをコントロールする。【００１８】
また、制御部２０には、各種データを記憶する外部メモリ１４０、表示装置を操作するための操作部１５０、表示装置をリモコン操作するためのリモコン１７１との間で赤外線信号や無線信号を送受するリモコン送受信部１７０等が接続され、制御部２０は、これらから得られる各種データに基づいて各種制御が可能となっている。【００１９】
分配回路３０は、図３に示すように、上記したカメラ３１０、ＣＤ／ＭＤ再生部３２０、ラジオ受信部３３０、ＴＶ受信部３４０、ＤＶＤ再生部３５０、ＨＤ再生部３６０、ナビゲーション部３７０等から供給される音声データや画像データを、制御部２０からの制御指令に応じて、音声調整回路６０、第１の画質調整回路５０Ａ、あるいは、第２の画質調整回路５０Ｂへ分配する。
音声調整回路６０は、図３に示すように、分配回路３０から供給された音声データを調整してスピーカ６１へ出力する。【００２０】
第１及び第２の画質調整回路５０Ａ，５０Ｂは、それぞれ図示しないコントラスト調整部、輝度調整部、色調調整部、ガンマ値調整部等から構成され、制御部２０からの制御指令に応じて、第１及び第２の画像データ（画像信号）ＤＴ１，ＤＴ２の画質（コントラスト、輝度、色調、ガンマ値）をそれぞれ調整して、画像出力部７０へ出力する。【００２１】
メモリ１４０は、例えば、フラッシュメモリ等の電気的書き換え可能な不揮発性メモリ又はバッテリバックアップされた揮発性メモリにより構成されており、制御部２０による制御に必要なデータ等を記憶している。【００２２】
画像出力部７０は、図４に示すように、２つのフレームメモリ７１Ａ，７１Ｂ、補助フレームメモリ７１Ｃ、切換スイッチＳＷ２、液晶パネル駆動部７４等から構成されている。【００２３】
フレームメモリ７１Ａ，７１Ｂには、例えば、第１及び第２の画質調整回路５０Ａ，５０Ｂにおいてそれぞれ画質調整された第１及び第２の画像データＤＴ１，ＤＴ２がそれぞれ書き込まれる。これら第１及び第２の画像データＤＴ１，ＤＴ２は、ＴＶ受信部３４０、ＤＶＤ再生部３５０、ナビゲーション部３７０等からの画像信号（映像信号）であり、例えば、１／６０秒の入力レートでフレームメモリ７１Ａ，７１Ｂへ書き込まれる。【００２４】
補助フレームメモリ７１Ｃは、Ｄ席画像ＩＭ１とＰ席画像ＩＭ２とを切り換える際に挿入するための緩衝画のデータを保持している。この緩衝画としては、例えば、黒画等の無彩色画が好ましい。また、補助フレームメモリ７１Ｃは、液晶パネル１１０の全画素のデータを保持している。【００２５】
切換スイッチＳＷ１は、制御部２０からの制御信号ＣＳに応じて、接点Ｃ３と、接点Ｃ１，Ｃ４，Ｃ２とを選択的に接続するスイッチである。
接点Ｃ１が接点Ｃ３と接続されたときには、フレームメモリ７１Ａに保持された一画像分（一フレーム分）の画像データＤＴ１が液晶パネル駆動部７４へ出力される。
接点Ｃ２が接点Ｃ３と接続されたときには、フレームメモリ７１Ｂに保持された一画像分（一フレーム分）の画像データＤＴ２が液晶パネル駆動部７４へ出力される。
接点Ｃ４が接点Ｃ３と接続されたときには、補助フレームメモリ７１Ｃに保持された一画像分（一フレーム分）の緩衝画の画像データが液晶パネル駆動部７４へ出力される。【００２６】
液晶パネル駆動部７４は、接点Ｃ１が接点Ｃ３と接続されたときには、フレームメモリ７１Ａに保持されているデータＤＴ１に基づいて、液晶パネル１１０の画素を駆動し、接点Ｃ２が接点Ｃ３と接続されたときには、フレームメモリ７１Ｂに保持されているデータに基づいて、液晶パネル１１０の画素を駆動する駆動信号７４ｓを液晶パネル１１０へ出力する。【００２７】
表示部１００は、図３に示すように、液晶パネル１１０、液晶パネル１１０の背面側から照明光を当てるバックライト１２０、表示装置を操作する信号を入力するためのタッチパネル１３０等から構成されている。尚、タッチパネル１３０は、図示しないが、透明なシート状に形成されて液晶パネル１１０の前面に貼着される。【００２８】
液晶パネル１１０は、図５に示すように、バックライト１２０、表示画面を構成する表示部１１０A、視野角変更シャッターとしての液晶シャッター１１０Ｂ等から構成されている。
表示部１１０Aは、バックライト１２０側から順に配置された、偏光板１１１、ＴＦＴ（Thin Film Transistor）基板１１２、液晶層１１３、ＲＧＢの３原色の画素をもつカラーフィルタ基板１１４、偏光板１１５等から構成され、周知の構造を有する。この液晶パネル１１０は、例えば、水平方向に８００画素、垂直方向に４８０画素が配列された表示画面を有する。【００２９】
液晶シャッター１１０Ｂは、表示部１１０A側から順に配置された、ＴＦＴ（Thin Film Transistor）基板１１６、液晶層１１７、ガラス基板１１８、偏光板１１９等から構成され、周知の構造を有する。
この液晶シャッター１１０Ｂは、図３に示した制御部２０からの制御信号ＳＣＳに応じて液晶層１１７に透光部と遮光部を形成することにより、表示画面部１１０Ａの表示画面に視野角を変更する。尚、視野角は、表示画面に表示された内容を視認できるおおよその範囲（角度）である。
具体的には、液晶シャッター１１０Ｂは、Ｄ席側画像を表示する場合には、図６（Ａ）に示すように、各画素ＰＸからの画像光Ｌ１のうちＰ席側へ向かう画像光Ｌ１を選択的に遮断すると共にＤ席側へ向かう光Ｌ１を選択的に透過させるように液晶層１１７により透光部と遮光部とを形成する。また、Ｐ席側画像を表示する場合には、図６（Ｂ）に示すように、各画素ＰＸからの画像光Ｌ２のうちＤ席側へ向かう画像光Ｌ２を選択的に遮断すると共にＰ席側へ向かう光Ｌ２を選択的に透過させるように液晶層１１７により透光部と遮光部とを形成する。
これにより、図５に示すように、液晶パネル１１０の右側（運転席側）からは第１の画像ＩＭ１が視認でき、左側（助手席側）からは第２の画像ＩＭ２が視認できる。【００３０】
次に、制御部２０による表示制御処理の一例について図７ないし図９を参照して説明する。
ここで、図７は表示画像の切換に連動する液晶シャッターの駆動方法を説明するための図であり、図８は液晶パネルの表示画面に表示される画像の入力タイミングと出力タイミングとの関係を示す図であり、図９（Ａ）、（Ｂ）、（Ｃ）、（Ｄ）は液晶シャッターと各表示状態との関係を説明するための図である。【００３１】
.
制御部２０は、画像出力部７０へ制御信号ＣＳを出力することにより、図７に示すように、液晶パネル１１０の表示画面にＤ席用画像とＰ席用画像とを交互に時分割表示させる。
具体的には、例えば図８に示すように、画像出力部７０には、Ｄ席画像ＩＭ１及びＰ席画像ＩＭ２の画像データが１／６０秒の入力レートで入力され、制御信号ＣＳにより切換スイッチＳＷ１の切り換えが行われて、Ｄ席画像ＩＭ１とＰ席画像ＩＭ２とが１／１２０秒の出力レートで交互に液晶パネル１１０の表示画面に出力される。尚、Ｄ席画像ＩＭ１とＰ席画像ＩＭ２は、液晶パネル１１０の表示画面の全画素を使用してそれぞれ表示される。【００３２】
加えて、制御部２０は、Ｄ席画像ＩＭ１とＰ席画像ＩＭ２とを図７に示すように時分割表示させると共に、制御信号ＳＣＳを液晶シャッター１１０Ｂに出力してＤ席画像ＩＭ１とＰ席画像ＩＭ２との切換に連動させて液晶シャッター１１０Ｂを制御し、表示画面の視野角を変更する。
具体的には、制御部２０は、Ｄ席画像ＩＭ１を表示する際には、図９（Ａ）に示すように、Ｄ席側の視野が開放されてＤ席画像ＩＭ１の画像光Ｌ１が液晶シャッター１１０Ｂを透過するように制御し、Ｐ席画像ＩＭ２を表示する際には、図９（Ｄ）に示すように、Ｐ席側の視野が開放されてＰ席画像ＩＭ２の画像光Ｌ２が液晶シャッター１１０Ｂを透過するように制御する。【００３３】
そして、制御部２０は、画像出力部７０へ制御信号ＣＳを出力して切換スイッチＳＷ２を制御することにより、図７に示すように、液晶パネル１１０の表示画面にＤ席用画像とＰ席用画像とを交互に時分割表示させると共に、Ｄ席用画像とＰ席用画像とを切り換える際に緩衝画として黒画ＢＬを挿入して、所定時間だけ無表示状態を形成する。
加えて、制御部２０は、液晶シャッター１１０Ｂに制御信号ＳＣＳを出力して、図７に示すように、黒画ＢＬが表示された無表示状態期間中に、液晶パネル１１０の表示画面の視野が切り換わるように制御する。【００３４】
具体的には、制御部２０は、図９（Ａ）に示すように、Ｄ席画像ＩＭ１を表示すると共に、Ｄ席側の視野を開放してＤ席画像ＩＭ１の画像光Ｌ１が液晶シャッター１１０ＢをＤ席側へ向けて透過するように制御する。
次いで、制御部２０は、Ｄ席画像ＩＭ１をＰ席画像ＩＭ２へ切り換える前に、図９（Ｂ）に示すように、黒画ＢＬを挿入する。このとき、黒画ＢＬの画像光Ｌ３は、Ｄ席側の視野へ向けて液晶シャッター１１０Ｂを透過する。これにより、液晶パネル１１０は、無表示状態となる。【００３５】
次いで、制御部２０は、図９（Ｃ）に示すように、黒画ＢＬを表示した状態を維持したまま、Ｐ席側の視野が開放されるように、液晶シャッター１１０Ｂを制御する。これにより、黒画ＢＬの画像光Ｌ３は、Ｐ席側の視野に向けて出力され、液晶パネル１１０の無表示状態は維持される。
次いで、制御部２０は、図９（Ｄ）に示すように、黒画ＢＬに代えて、Ｐ席画像ＩＭ２を表示する。これにより、Ｐ席画像ＩＭ２の画像光Ｌ２が液晶シャッター１１０ＢをＰ席側へ向けて透過する。【００３６】
このように、本実施例では、Ｄ席画像ＩＭ１とＰ席画像ＩＭ２とを切り換える際に、緩衝画としての黒画ＢＬを挿入し、黒画ＢＬの表示中に液晶シャッター１１０Ｂの視野角を切り換えることで、液晶シャッター１１０Ｂの切り換えタイミングに多少のバラツキがあっても、Ｐ席側の視野にＤ席側画像ＩＭ１の画像が写り込む、あるいは、Ｄ席側の視野にＰ席側画像ＩＭ２の画像が写り込むのを防ぐことができ、又、画像の急激な変化に伴う画像のちらつきを抑制できる。
尚、黒画ＢＬの表示期間は、液晶シャッター１１０Ｂの応答のバラツキ等に応じて適宜設定できる。【００３７】
次に、制御部２０による表示制御処理の他の例について、図１０ないし図１２を参照して説明する。
ここで、図１０は画像出力部の他の構成を示す図、図１１（Ａ）、（Ｂ）、（Ｃ）、（Ｄ）は、同一画面上にＤ席画像ＩＭ１とＰ席画像ＩＭ２とを含む出力パターンを作成する場合の表示方法を説明するための説明図である。【００３８】
画像出力部７０は、図１０に示すように、第１、第２の画像データＤＴ１、ＤＴ２が保持されるフレームメモリ７１Ａ、７１Ｂと、フレームメモリ７１Ａに記憶された画像における所定位置Ｍの画素の画像データとフレームメモリ７１Ｂに記憶された画像における所定位置Ｎ（所定位置Ｍと排他的位置にある）の画素の画像データの合成画像データが記憶されるフレームメモリ７１Ｄと、フレームメモリ７１Ａに記憶された画像における所定位置Ｎの画素の画像データとフレームメモリ７１Ｂに記憶された画像における所定位置Ｍの画素の画像データの合成画像データ記憶されるフレームメモリ７１Ｅと、フレームメモリ７１Ｄに接続された接点Ｃ５と、フレームメモリ７１Ｅに接続された接点Ｃ６と、補助フレームメモリ７１Ｃと、切換ＳＷ２、そして液晶パネル駆動部７４等から構成されている。尚、図１０において、図４に示した画像出力部と同一部分については同一の符号を使用している。【００３９】
フレームメモリ７１Ａに記憶された画像データの内、縦横方向に各々１つ飛びの画素群ｍ１（所謂、千鳥格子配置の画素群）の各画素データは、フレームメモリ７１Ｄにおける各画素位置に対応する記憶位置に記憶され、またフレームメモリ７１Ａに記憶された画像データの内、画素群ｍ１と排他的な画素群ｍ２の各画素データは、フレームメモリ７１Ｅにおける各画素位置に対応する記憶位置に記憶される。そして、フレームメモリ７１Ｂに記憶された画像データの内、画素群ｍ１と排他的位置にある画素群ｎ２の各画素データは、フレームメモリ７１Ｄにおける各画素位置に対応する記憶位置に記憶され、またフレームメモリ７１Ｂに記憶された画像データの内、画素群ｎ２と排他的な画素群ｎ１の各画素データは、フレームメモリ７１Ｅにおける各画素位置に対応する記憶位置に記憶される。従って、フレームメモリ７１Ｄには、画素群ｍ１、ｎ２が縦横方向交互に配列する形で画像データが記憶され、また、フレームメモリ７１Ｅには、画素群ｎ１、ｍ２が縦横方向交互に配列する形で画像データが記憶される。
切換ＳＷ２は、制御部２０からの制御信号ＣＳに応じて、接点Ｃ３と、接点Ｃ４、Ｃ５、Ｃ６とを選択的に接続するスイッチである。
接点Ｃ５が接点Ｃ３と接続されたときには、フレームメモリ７１Ｄに保持された一画像分（１フレーム分）の画像データ（画素群ｍ１、ｎ２の合成データ）が液晶パネル駆動部７４へ出力される。また、接点Ｃ６が接点Ｃ３と接続されたときには、フレームメモリ７１Ｅに保持された一画像分（１フレーム分）の画像データ（画素群ｎ１、ｍ２の合成データ）が液晶パネル駆動部７４へ出力される。これにより、画像出力部７０は、液晶パネル１１０の表示画面の、一部の画素群にＤ席画像ＩＭ１が表示され、他の画素群にＰ席画像ＩＭ２が表示される。詳しくは後述する。【００４０】
加えて、制御部２０は、同一画面上にＤ席画像ＩＭ１とＰ席画像ＩＭ２とを含む出力パターンを時分割で切り換えて出力するとともに、制御信号ＳＣＳを液晶シャッター１１０Ｂに出力して、出力パターンの切換に連動させて液晶シャッター１１０Ｂを制御し、表示画面の視野角を変更する。【００４１】
図１１（Ａ）に示した表示状態では、表示画面の各画素列（ＰＸ）に、Ｄ席画像ＩＭ１の画像信号ＤとＰ席画像ＩＭ２の画像信号Ｐとが交互に出力される（交互出力パターン）。詳細には、接点Ｃ３と接点Ｃ５、Ｃ６とが接続されたときに、画像出力部７０は、第１の画像データＤＴ１及び第２の画像データＤＴ２に基づいて、各々図１１（Ａ）、（Ｄ）に示す合成画像を生成する。図１１（Ａ）に示した合成画像は、Ｄ席画像ＩＭ１における第１特定画素群と、Ｐ席画像ＩＭ２における前記第１特定画素群と排他的位置にある第２特定画素群とによって生成されている。図１１（Ｄ）に示した合成画像は、Ｐ席画像ＩＭ２における前記第１特定画素群と同じ位置にある第２特定合成画素群と、Ｄ席画像ＩＭ１における第２特定画素群と排他的位置にある第１排他画素群とによって生成されている。【００４２】
一方、液晶シャッター１１０Ｂは、交互出力パターンに対応させたＤ席側とＰ席側とに分離表示する遮光パターン、すなわち、Ｄ席画像ＩＭ１の画像信号Ｄは右側（助手席）への表示が遮断され、左側（運転席）からは見える一方、席画像ＩＭ２の画像信号Ｐは左側（運転席）への表示が遮断され、右側（助手席）からは見える遮光パターンに駆動制御されている。【００４３】
次いで、制御部２０は、出力パターンへ切り換える前に、図１１（Ｂ）に示すように、接点Ｃ３と接点Ｃ４とを接続状態にし、全ての画素ＰＸに、黒画ＢＬを挿入する。このとき、Ｄ席画像ＩＭ１の画像信号Ｄが表示されていた画素からの、黒画ＢＬの画像光Ｌ３は、Ｄ席側の視野へ向けて液晶シャッター１１０Ｂを透過する。また、Ｐ席画像ＩＭ２の画像信号Ｐが表示されていた画素からの、黒画ＢＬの画像光Ｌ４は、Ｐ席側の視野へ向けて液晶シャッター１１０Ｂを透過する。これにより、液晶パネル１１０は、無表示状態となる。【００４４】
次に、制御部２０は、図１１（Ｃ）に示すように、接点Ｃ３と接点Ｃ４とを接続状態にし、黒画ＢＬを表示した状態を維持したまま、黒画ＢＬの画像光Ｌ３、Ｌ４が液晶シャッター１１０Ｂにより遮蔽され、Ｄ席画像ＩＭ１の画像信号Ｄが表示されていた画素からの、黒画ＢＬの画像光Ｌ５は、Ｐ席側の視野に向けて液晶シャッター１１０Ｂを透過する。また、Ｐ席画像ＩＭ２の画像信号Ｐが表示されていた画素からの、黒画ＢＬの画像光Ｌ６は、Ｄ席側の視野へ向けて液晶シャッター１１０Ｂを透過する。これにより、液晶パネル１１０の無表示状態は維持される。【００４５】
そして、制御部２０は、図１１（Ｄ）に示すように、Ｄ席画像ＩＭ１の画像信号Ｄが表示されていた各画素には、Ｐ席画像ＩＭ２の画像信号Ｐが出力され、Ｐ席画像ＩＭ２の画像信号Ｐが出力されていた各画素には、Ｄ席画像ＩＭ１の画像信号Ｄが出力され、さらに、液晶シャッター１１０Ｂは、各画素列に介する表示内容の切り換えに連動させて、Ｄ席側とＰ席側とに分離表示する遮光パターンと、すなわち、Ｄ席画像ＩＭ１の画像信号Ｄは右側（助手席）への表示が遮断され、左側（運転席）からは見える一方、Ｐ席画像ＩＭ２の画像信号Ｐは左側（運転席）への表示が遮断され、右側（助手席）からは見える遮光パターンに駆動制御されている。【００４６】
図１１（Ａ）に示した表示状態から図１１（Ｄ）に示した表示状態とを繰り返す（例えば、単位時間あたりの出力フレーム数を従来の２倍以上とするのが好ましい）ことにより、図１１（Ａ）の表示状態の画像と図１１（Ｄ）の表示状態の画像とを交互に時分割表示することにより、その残像効果により、解像度（すなわち有効画素数）を低下させること無く、運転者には運転者用表示出力の内容を、非運転者（助手席乗員）には非運転者用表示出力の内容を視認させることが可能となっている。【００４７】
また、図１１（Ａ）の表示状態と図１１（Ｄ）の表示状態とを切り換える間に、黒画ＢＬを挿入するので、画像の切換と液晶シャッターの切換との制御のずれに起因する、他方の画像が一方の画像へ漏れることを防止できる。【００４８】
図１２（Ａ）、（Ｂ）は、液晶シャッター１１０Ｂの遮光パターンを説明するための図であり、液晶シャッター１１０Ｂが配設された液晶パネル１１０を正面から見たときの表示状態の一部を模式的に示している。【００４９】
図１２には、液晶シャッター１１０Ｂを構成する各画素を格子状（千鳥格子模様）の遮光パターンとなるように駆動制御した場合を示しており、表示部１００へのＤ席画像ＩＭ１の画像信号ＤとＰ席画像ＩＭ２の画像信号Ｐとを含む格子状の出力パターンを時分割で切り換えて出力するとともに、当該格子状の出力パターンの切り換えタイミングと液晶シャッター１１０Ｂによる格子状の遮光パターンの切り換えタイミングとを連動、すなわち同期させる構成となっている。液晶シャッター１１０Ｂの各画素は、同図に示すように液晶パネル１１０の各画素に対してズレを持たせて配置され、液晶シャッター１１０Ｂの１つの画素がＤ席画像ＩＭ１の画像信号Ｄと席画像ＩＭ２の画像信号Ｐのいずれかを遮断することで、運転席からは画像信号Ｄのみが、助手席側からは画像信号Ｐのみが視認可能となる。【００５０】
図１２（Ａ）に示した第１の表示状態と図１２（Ｂ）に示した第２の表示状態とを繰り返す（例えば、単位時間あたりの出力フレーム数を従来の２倍以上とするのが好ましい）ことにより、これらの表示状態の画像と状態の画像とを時間的に重ね合わせて、その残像効果により、解像度を低下を防止できる。【００５１】
また、上記実施例では、液晶パネル１１０の画素数（画素サイズ）と、液晶シャッター１１０Ｂの画素数（画素サイズ）との比率が１対１の場合について説明したが、液晶パネル１１０の画素数（画素サイズ）に対する液晶シャッター１１０Ｂの画素数（画素サイズ）の比率を高めた（例えば１対２以上）構成としてもよく、かかる構成によれば、多様な遮光パターンの制御が可能となり、精度の高い視野角の調整等を行うことができる。【００５２】
上記実施形態では、緩衝画として、黒画を用いたが、黒画に限らず、灰色等の単色画を用いることも可能であり、有彩色の単色画を用いることも可能である。【００５３】
上記実施形態では、Ｄ席画像ＩＭ１とＰ席画像ＩＭ２とを均等に時分割表示した場合について説明したが、これに限定されるわけではなく、画像の情報量等に応じて表示期間の割合を適宜調整することも可能である。【００５４】
上記実施形態では、２つの画像（表示内容）を切り換えると共に２方向に視野角を変更する場合について説明したが、これに限定されるわけではなく、３つ以上の画像を時分割表示し、3つ以上の異なる視野角に出力することも可能である。【００５５】
上記実施形態では、本発明を車載用表示装置に適用した場合について説明したが、これに限定されるわけではなく、車載用以外の表示装置にも適用可能である。【００５６】
上記実施形態では、異なる観察者ＯＢＲ、ＯＢＬの視野に入るように視野角（表示態様）を制御した場合について説明したが、これに限定されるわけではなく、例えば、表示態様が同じ観察者の右目と左目とで異なるように制御する（視野角が同じ観察者の右目と左目に指向するように制御する）、立体画像表示装置等の表示部の前方に可変シャッターが設けられた表現装置に適用することも可能である。【００５７】
上記実施形態は本発明の好適な実施形態である。但し、これに限定されるものではなく、本発明の要旨を逸脱しない範囲内において種々変形実施可能である。
【図１】
2007097353.tif 000003
【図２】
2007097353.tif 000004
【図３】
2007097353.tif 000005
【図４】
2007097353.tif 000006
【図５】
2007097353.tif 000007
【図６】
2007097353.tif 000008
【図７】
2007097353.tif 000009
【図８】
2007097353.tif 000010
【図９】
2007097353.tif 000011
【図１０】
2007097353.tif 000012
【図１１】
2007097353.tif 000013
【図１２】
2007097353.tif 000014
【国際調査報告】
2007097353.tif 000015
2007097353.tif 000016
2007097353.tif 000017
2007097353.tif 000018